(57)【要約】      （修正有）【課題】一般住宅における段差のある階段の段差を解消して昇降できるように補助し、高齢者や身体障害が自力で制御可能で、安価で安全な階段昇降補助具を提供する。【解決手段】平地での歩行補助用杖２の最下部石突き部に通常階段１段分の概半分高さの、片足を乗せることができる幅と長さを有する踏み台３を、取り外し自在に装着させて、階段昇降時には、踏み台３の上面部に左右何れか片方の足を乗せて、身体を前傾しながら他方の足を浮かせ上げながら階段床面に移動させ、次いで階段床面に乗せた足を支えにして踏み台に乗せた足を階段床面に移動させて階段を昇降する。また、装着する踏み台は、上面は滑り止めを施し、底面部は先端部と後端部を円弧状にして回転可能とすることにより、安心でスムーズな昇降を可能にする。【選択図】図１
0003163070.tif 000002
【実用新案登録請求の範囲】
【請求項１】
歩行補助用の杖本体と、該杖本体の最下部石突き部に一体連結して装着された踏み台とからなる階段昇降補助踏み台付杖において、該踏み台が取り外し自在構造であることを特徴とする階段昇降補助踏み台付杖。
【請求項２】
前記踏み台が、床面からの高さ調節可能な構造であることを特徴とする請求項１記載の階段昇降補助踏み台付杖。
【請求項３】
前記踏み台の上面部が滑り止め構造であることを特徴とする請求項１または請求項２記載の階段昇降補助踏み台付杖。
【請求項４】
前記踏み台の底面部が、先端部と後端部が円弧状であることを特徴とする請求項１または請求項２または請求項３記載の階段昇降補助踏み台付杖。
【請求項５】
前記踏み台が、照明具を内蔵された構造であることを特徴とする請求項１または請求項２または請求項３または請求項４記載の階段昇降補助踏み台付杖。
【請求項６】
前記踏み台が、階段１段分高さの杖部を自在に取り付け可能な構造であることを特徴とする請求項１または請求項２または請求項３または請求項４または請求項５記載の階段昇降補助踏み台付杖。
【考案の詳細な説明】
【技術分野】
【０００１】  本考案は、高齢者または身体障害を有する方などが、平地では歩行補助用の杖として使用し、階段昇降時には、簡単な操作で、膝の負担を少なくして、楽に階段を昇降する補助をする、階段昇降補助踏み台付杖に関するものである。
【背景技術】
【０００２】  従来、高齢者や膝などの身体に障害を有する方には、段差のある階段での昇降は負担が大きく、その対策として、電動式の搭乗者踏み台を階段斜面に沿って昇降させる方法（例えば特許文献１参照）や階段の端部に概半分高さの補助階段を設置する（例えば特許文献２参照）方法が提案されている。【０００３】  しかしながら、前記の電動式昇降機は高価であるために一般家庭には不向きで実用性に欠ける。また、前記の階段端部への補助階段設置は階段スペースを狭くし、健常者にとっては煩わしいものとなり、さらに持ち運びできないため補助階段の設置が容易ではない。
【先行技術文献】
【特許文献】
【０００４】
【特許文献１】  特開平７−３１５７２３号  公報
【特許文献２】  特開２０００−２２６９１９号  公報
【考案の概要】
【考案が解決しようとする課題】
【０００５】  高齢者や膝などの身体に障害を有する方が段差のある階段を昇降する場合の負担を解消することを目的とし、簡単に持ち運びができ、安全に取り扱いができ、コスト負担も少ない低価格の、高齢者や膝などの身体に障害のある方が、自力で制御可能な階段昇降補助踏み台付杖を提供すること。
【課題を解決するための手段】
【０００６】  この課題を解決するための手段として、歩行補助用の杖本体の最下部石突き部に一体連結して、床面からの高さが調節可能で、片足を乗せることができる幅と長さを有し、底面部の先端部と後端部が円弧状の踏み台を取り外し自在に装着させた階段昇降補助踏み台付杖を階段昇降時に使用することにより階段昇降時の負担軽減を図る。【０００７】  本考案の補助台は、高さは階段１段分の概半分の高さに調節可能構造とし、上面部は滑り止め構造とし、底面部は先端部と後端部は円弧状にし揺動可能とし階段昇降時の安定及び負担低減効果を高める。
【考案の効果】
【０００８】  上述の様に、本考案の階段昇降補助踏み台付杖を、段差のある階段を昇降する場合に使用すれば、膝などの負担を軽減しながら、安心感を持って階段の昇降をすることが可能となる。
また、軽量で持ち運びやすく、取り扱いが簡単で、踏み台上面の滑り止め構造や底面部の円弧状構造による揺動可能構造で使用者は安心感と負担減少効果が得られる。
【図面の簡単な説明】
【０００９】
【図１】  本考案の階段昇降補助踏み台付杖の一実施例を示す正面図である。
【図２】  本考案の階段昇降補助踏み台付杖の一実施例を示す側面図である。
【図３】  本考案の階段昇降補助踏み台付杖を使用した足の移動順序の一実施例を示す図である。
【考案を実施するための形態】
【００１０】  この考案を実施するための形態としては、室内用と室外用の２種類あると効果的である。
例えば、室内で使用する場合は、素足のまま、ソックス及びスリッパなどを履いた状態で使用するので汚れることはないが、室外で使用する場合は、靴などを履いたままで使用するので階段昇降補助踏み台が汚れる可能性があるので、好ましくは室内用と室外用の２種類を上手く使い分けて使用すれば、使用都度に清掃することもなく効果的である。
【実施例】
【００１１】  以下、添付図面に従って本考案の一実施例を説明する。図１は、本考案の階段昇降補助踏み台付杖の一実施例を示す正面図であり、図２は本考案の階段昇降補助踏み台付杖の一実施例を示した側面図であり、図３は本考案の階段昇降補助踏み台付杖を使用した足の移動順序の一実施例を示す。【００１２】  歩行補助用杖本体２に一体連結的に装着された階段昇降補助踏み台３の上面部に左右何れかの片方の足５を素足或いは靴などを履いた状態で乗せて、身体を前傾させて他方の足６を浮き上がらせながら移動させて１段目階段床面７に乗せ、次いで階段昇降補助踏み台３に乗せた足５を移動させて該階段床面７に乗せて階段を昇降する。【００１３】  階段段を昇る時は、下から１段目の階段床面７の直下の床面で、該踏み台に乗せる片方の足５の横に階段昇降補助踏み台付杖１を置き、該踏み台３上面部に左右何れかの片方の足５を乗せて、身体を前傾させて他方の足６を浮き上がらせながら１段目の階段床面７に足を移動させ、次いで該階段床面７に乗せた足６を支えとしながら該踏み台に乗せた足５を１段目の階段床面７に移動させて階段を昇る。これで階段１段を昇る場合の１サイクルが終了する。次いで、階段昇降補助踏み台付杖１を、両足を乗せた階段床面上に置いて、これらの動作を繰り返すことによって複数段の階段を昇る。【００１４】  階段を降りる時は、上から１段下の階段床面で、該踏み台３に乗せる片方の足の横に階段昇降補助踏み台付杖１を置き、該踏み台上面部に左右何れか片方の足を乗せ、身体を前傾させて他方の足を浮き上がらせながら１段下の階段床面に足を移動させ、次いで階段床面に乗せた足を支えとしながら該踏み台に乗せた足を１段下の階段床面に移動させて階段を降りる。これで階段を１段降りる場合の１サイクルが終了する。次いで、階段昇降補助踏み台付杖を、両足を乗せた階段床面上に置いて、これらの動作を繰り返すことによって複数段の階段を降りる。【００１５】  また、階段昇降時に足下が暗い場合などには、請求項５で提案したライトなどの照明具を付けることにより効果的である。
さらに、階段を降りる時は、請求項６で提案した、踏み台下部に階段１段分高さの杖部を取り付けて、さらに１段下の階段床面から同様の順序で、階段を降り始めることも可能である。【００１６】  次に、本考案の歩行用杖本体及び階段昇降補助踏み台の寸法サイズと材質について説明する。
杖本体は、使い易い寸法サイズで何ら問題はなく、材質は木、樹脂及びアルミなどの軽量部材を使用し、杖部上部の握り部４には滑り防止用のゴム製グリップを装着している。
材質については、歩行補助用杖としての機能を有する軽量材であれば特に前記材質に限定されるものではない。【００１７】  又、階段昇降補助踏み台の寸法サイズは、高さは１階段高さの概半分の高さが効果的であり、片足を安全に安心して乗せることのできる幅と長さを有するものとし、高さについては、昇降する階段により高さが異なる場合も考えられるので、高さは押し込みピンやヒンジピンなどで調整可能構造とする。【００１８】  材質は軽量で耐摩耗性良好の硬質ウレタンゴムが好ましいが、使用環境・場所などに応じて木、樹脂及びアルミなどを使用することも可能である。
現在、未使用で大量に余剰になって問題となっている間伐材などを活用することも可能であり、木材を使用する場合は、足乗せ上面部を有溝構造にするとか、滑り止め部材を貼ると効果的である。【００１９】  次に、本考案の階段昇降補助踏み台付杖の使用方法を説明すると、本考案の階段昇降補助踏み台付杖は左右両用型であり、左右何れの足を乗せて利用することが可能である。また、左右何れかの手で杖部上部の握り部４を持ち、もう一方の手で階段の手摺を持って使用しても良いし、両方の手で杖部上部の握り部４を持って使用しても良い。【００２０】  又、本考案の階段昇降補助踏み台付杖の踏み台の向きは長手方向が階段床面と平行で杖部の位置が外側になるような使用方法でも良いが、階段床面の幅が広い場合などには、足元をより安定にさせるために踏み台の長手方向が階段床面に対して直角で、杖部が前側になるように使用しても良い。
【符号の説明】
【００２１】  １  階段昇降補助踏み台付杖
２  歩行補助用杖本体
３  階段昇降補助踏み台
４  杖上部の握り部
５  踏み台に乗せる片方の足
６  踏み台に乗せない他方の足
７  １段目の階段の床面
８  階段昇降補助踏み台の高さ調整具
【図１】
0003163070.tif 000003
【図２】
0003163070.tif 000004
【図３】
0003163070.tif 000005